Podtech/llm-jp-corpus-v4-ja_patent huggingface dataset:
(57)【要約】【課題】  冶具を用いることなく固定子コイルの位置決めと行うことができ、また結線作業を容易に行うことができるギャップワインディングモータを提供する。【解決手段】  中空の固定子コアの内周面に回転磁界形成用の複数の空芯形状の固定子コイルを装着してなる固定子と、外周面上に複数の永久磁石を取り付け、かつ固定子コイルに空隙を介して対向配置させた回転子とを有するギャップワインディングモータにおいて、固定子コイルを、結線パターンを有し両面に接着層を備えたフレキシブル基板上に配置するとともに、フレキシブル基板を、固定子コイルとともに固定子コアの内周面に配置し、フレキシブル基板と固定子コイルを樹脂でモールドする。【選択図】    図２
2010051158.tif 000002
【特許請求の範囲】
【請求項１】
中空の固定子コアの内周面に回転磁界形成用の複数の空芯形状の固定子コイルを装着してなる固定子と、外周面上に複数の永久磁石を取り付け、かつ前記固定子コイルに空隙を介して対向配置させた回転子とを有するギャップワインディングモータにおいて、
前記固定子コイルを、結線パターンを有し両面に接着層を備えたフレキシブル基板上に配置するとともに、前記フレキシブル基板を、前記固定子コイルとともに前記固定子コアの内周面に配置し、前記フレキシブル基板と前記固定子コイルを樹脂でモールドしたことを特徴とするギャップワインディングモータ。
【請求項２】
前記フレキシブル基板は、結線口出し部を有し、前記結線口出し部は、モールドされた樹脂から突出していることを特徴とする請求項１に記載のギャップワインディングモータ。
【発明の詳細な説明】
【技術分野】
【０００１】
本発明は、ＦＡ機器用やＯＡ機器用等に用いられる平滑電機子巻線形ブラシレスモータ、いわゆるギャップワインディングモータに関するもので、特に固定子の構成に関するものである。
【背景技術】
【０００２】
従来のギャップワインディングモータは、図４に示すように、中空の固定子コア１１の内周面に回転磁界形成用の複数の空芯形状の固定子コイル１２を装着してなる固定子１３と、図示していないが、外周面上に複数の永久磁石を取り付け、かつ前記固定子コイルに空隙を介して対向配置させた回転子とを有して構成されている（例えば、特許文献１参照）。このような構成のギャップワインディングモータにおいては、前記固定子コイル１２を円周方向に均等に配置する必要があるが、前記固定子コイル１２の配置は、位置決め冶具等を用いて行っていた。また、固定子コイル１２の結線は、固定子コイル１２を固定子コア１１に固定した後に、リード線を用いてハンダ付けしたり、結線基板１４を用いたりして行っていた。なお、図４において、１５は結線口出し部で、１６は前記固定子コイル１２と前記結線基板１４をモールドした樹脂である。
【特許文献１】特開２００２−１９１１４６号公報
【発明の開示】
【発明が解決しようとする課題】
【０００３】
しかしながら、このような従来のギャップワインディングモータにおいては、固定子コイルを固定子コアに固定する際の位置決めに冶具が必要であり、また、固定子コイルの固定後に結線を行う必要があるので、コイル配置や固定子の構造などが制約となって、結線作業がしにくいという問題があった。
本発明はこのような問題点に鑑みてなされたものであり、冶具を用いることなく固定子コイルの位置決めと行うことができ、また結線作業を容易に行うことができるギャップワインディングモータを提供することを目的とするものである。
【課題を解決するための手段】
【０００４】
上記問題を解決するため、本発明は、中空の固定子コアの内周面に回転磁界形成用の複数の空芯形状の固定子コイルを装着してなる固定子と、外周面上に複数の永久磁石を取り付け、かつ前記固定子コイルに空隙を介して対向配置させた回転子とを有するギャップワインディングモータにおいて、前記固定子コイルを、結線パターンを有し両面に接着層を備えたフレキシブル基板上に配置するとともに、前記フレキシブル基板を、前記固定子コイルとともに前記固定子コアの内周面に配置し、前記フレキシブル基板と前記固定子コイルを樹脂でモールドしたことを特徴とするものである。また、前記フレキシブル基板が、結線口出し部を有し、前記結線口出し部が、モールドされた樹脂から突出していることを特徴とするものである。
【発明の効果】
【０００５】
本発明によれば、結線パターンを有し、両面に接着層を持つフレキシブル基板を用いることで、電磁部コアと固定子コイルの位置決めを簡単に行うことができ、位置決め冶具を必要としないばかりか、結線作業は基板を展開した状態でハンダ付けするために非常に容易に行うことができる。
【発明を実施するための最良の形態】
【０００６】
以下、本発明の実施の形態について、図を参照して説明する。
【０００７】
図１は、本発明の実施例を示すフレキシブル基板と固定子コイルの展開図である。図２は、固定子の組立て方法を説明する説明図である。図３は、固定子を示す斜視図である。
図１から図３において、１は固定子コイル、２は結線パターンを有し両面に接着層を備えたフレキシブル基板、３は結線口出し部、４はランド、５は固定子コイル貼り付け指定部、６は固定子コア、７は樹脂、８は固定子である。
前記固定子コイル１は、複数個の固定子コイル１をフレキシブル基板２の結線パターンを配した面の所定の位置に接着する。位置は、フレキシブル基板２上に、例えば固定子コイル貼り付け指定部５を印刷するなどして指定することができる。次に、前記フレキシブル基板２のランド４に固定子コイル１の口出し線をハンダ付けする。このハンダ付け作業時には、フレキシブル基板２は平面状に展開されているため、非常に容易に作業を行うことができる。またフレキシブル基板２は結線パターンを有しているため、このハンダ付け作業で結線は終了する。次に、前記固定子コイル１がハンダ付けされたフレキシブル基板２を円筒状に丸めて固定子コア６の内周部に挿入し、軸方向の位置決めをして外周側に加圧する。これにより前記フレキシブル基板２が固定子コア６の内周面に接着固定される。最後にこの状態で、前記フレキシブル基板２と前記固定子コイル１を樹脂７でモールドすることで固定子８が完成する。
本発明が従来技術と異なる部分は、固定子コイルの位置決めおよび結線を共にフレキシブル基板で行うため、位置決め冶具や複雑な結線作業が要らないと言う点である。
なお、図面では平角線を使用したα巻きのコイルをイメージしているが、本発明は線材の種類および巻き方によらず全て有効である。
【図面の簡単な説明】
【０００８】
【図１】本発明の実施例を示すフレキシブル基板と固定子コイルの展開図である。
【図２】本発明の実施例を示す固定子の組立て方法を説明する説明図である。
【図３】本発明の実施例を示す固定子の斜視図である。
【図４】従来のギャップワインディングモータの固定子を示す側断面図である。
【符号の説明】
【０００９】
１  固定子コイル
２  フレキシブル基板
３  結線口出し部
４  ランド
５  固定子コイル貼り付け指定部
６  固定子コア
７  樹脂
８  固定子
【図１】
2010051158.tif 000003
【図２】
2010051158.tif 000004
【図３】
2010051158.tif 000005
【図４】
2010051158.tif 000006
(57)【要約】【課題】  ストレスの軽減、免疫力アップ、記憶力のアップ、および不眠、疲労、脳の老化、頭痛、痴呆症の予防などの予防、時差ボケの解消、痴呆症の症状の緩和、統合失調症をやわらげることなどに効果を得られる栄養補助用の加工食品を提供すること。【解決手段】  本発明は、一実施形態として、５０ｍｌ当たりビタミンＣを約１０００ｍｇ、ナイアシンを約３００ｍｇ、および塩酸ピリドキシン、ＧＡＢＡを約含有する。この栄養補助用の加工食品を摂取することにより、ストレスの軽減、免疫力アップ、記憶力のアップ、および不眠、疲労、脳の老化、痴呆症などの予防、痴呆症の症状の緩和、統合失調症をやわらげることなどに効果が得られる。【選択図】なし【特許請求の範囲】
【請求項１】
ビタミンＣ、ナイアシンを５０ｍｌ当り各々約１０００ｍｇ、約３００ｍｇ、さらに塩酸ピリドキシン、ＧＡＢＡを含む栄養補助用の加工食品
【発明の詳細な説明】
【技術分野】
【０００１】  本発明は、栄養補助用の加工食品に関する。
【背景技術】
【０００２】  従来のビタミンＣを主成分にする栄養補助用加工食品、ビタミンＢ類を主成分にする栄養補助用加工食品、ＧＡＢＡを主成分にする栄養補助用加工食品などがあり、夫々の成分が持っている効用を主にした栄養補助用の加工食品は数多く存在している。
【発明の開示】
【発明が解決しようとする課題】
【０００３】  従来の栄養補助用加工食品では、現代人が強度のストレスにさらされていることから来る、免疫力、記憶力の低減、および不眠、疲労、脳の老化、痴呆症、統合失調症などの症状をやわらげるようにするためには、それぞれに効用が期待される栄養補助用加工食品を複数摂取することが必要であった。
【課題を解決するための手段】
【０００４】  本発明は後述のような効用を持つビタミンＣ、ナイアシン、塩酸ピリドキシン、ＧＡＢＡを主成分とした栄養補助用加工食品とし、各々の成分が持っている効用を複合的に発揮させ、免疫力、記憶力の低減、および不眠、疲労、脳の老化、痴呆症、統合失調症などの症状をやわらげるようにするものである。【０００５】  ビタミンＣは、ストレス解消、免疫力アップ、コラーゲンの合成などに効果的と言われている。アメリカでは２００５年に、ノーベル賞受賞者のポーリング博士が３０年前に提唱した「ビタミンＣはガンに有用」との論文を国立衛生研究所、国立ガンセンター、食品薬品局の科学者が発表している（Ｐｈａｒｍａｃｏｌｏｇｉｃ  ａｓｃｏｒｂｉｃ  ａｃｉｄ  ｃｏｎｃｅｎｔｒａｔｉｏｎｓ  ｓｅｌｅｃｔｉｖｅｌｙ  ｋｉｌｌ  ｃａｎｃｅｒ  ｃｅｌｌｓ：ａｃｔｉｏｎ  ａｓ  ａ  ｐｒｏ−ｄｒｕｇ  ｔｏ  ｄｅｌｉｖｅｒ  ｈｙｄｒｏｇｅｎ  ｐｅｒｏｘｉｄｅ  ｔｏ  ｔｉｓｓｕｅｓ．Ｐｒｏｃ  Ｎａｔｌ  Ａｃａｄ  Ｓｃｉ  Ｕ  Ｓ  Ａ．２００５；１０２（３８）：１３６０４−９）。また２００５年にアメリカの国立衛生研究所（ＮＩＨ）、国立ガンセンター（ＮＣＩ）、食品薬品局（ＦＤＡ）の科学者達が共同で超高濃度ビタミンＣ点滴療法がガンに有用であるという研究論文をアメリカ科学アカデミー紀要に発表した（Ｉｎｔｒａｖｅｎｏｕｓｌｙ  ａｄｍｉｎｉｓｔｅｒｅｄ  ｖｉｔａｍｉｎ  Ｃ  ａｓ  ｃａｎｃｅｒ  ｔｈｅｒａｐｙ：ｔｈｒｅｅ  ｃａｓｅｓ．ＣＭＡＪ．２００６  Ｍａｒｃｈ  ２８；１７４（７）：９３７−９４２）。【０００６】  また、ナイアシン（ニコチン酸アミド）は不安定な精神状態、不眠、疲労の予防に効果的と言われている。また、脳や神経系に作用することから、脳の老化防止、頭痛の予防、時差ボケの解消、痴呆症の症状の緩和に効果的と言われている。またアメリカの精神科医であるホッファー博士により、大量のナイアシンを摂取することにより、統合失調症を治療できることが立証されている（エイブラム・ホッファー著、大沢  博訳（世論時報社）：精神分裂病と栄養療法／『ビタミンＢ−３の効果』（カナダの精神医学者エイブラム・ホッファー博士の著″ＶｉｔａｍｉｎＢ−３  ａｎｄ  Ｓｃｈｉｚｏｐｈｒｅｎｉａ：Ｄｉｓｃｏｖｅｒｙ、Ｒｅｃｏｖｅｒｙ、Ｃｏｎｔｒｏｖｅｒｓｙ″（Ｑｕａｒｒｙ  Ｐｒｅｓｓ、１９９８）の全訳））。【０００７】  塩酸ピリドキシンは免疫機能の維持、神経系の働きの維持に効果的、脳神経伝達物質の生成を促進するとのと言われている。【０００８】  ＧＡＢＡはイライラなどをやわらげることや、神経細胞の興奮の沈静化、痴呆症の予防・改善、ストレスの軽減、記憶力のアップなどに効果的と言われている。ＧＡＢＡを摂取すると、精神的疲労は改善され、仕事の効率の向上が見られたとの報吉もある（１９９４年に厚生労働省の疲労研究班）。
【発明の効果】
【０００９】  本発明によればビタミンＣ、ナイアシン、塩酸ピリドキシン、ＧＡＢＡの各々の成分が持っている効用を複合的に発揮させることができることになり、免疫力、記憶力の低減、および不眠、疲労、脳の老化、痴呆症、統合失調症などの症状をやわらげることができる。
【発明を実施するための最良の形態】
【００１０】  本発明の一実施形態としては、５０ｍｌ当たりビタミンＣを約１０００ｍｇ、ナイアシンを約３００ｍｇ、および塩酸ピリドキシン、ＧＡＢＡを含有させる。【００１１】  以上のようにビタミンＣ、ナイアシン、塩酸ピリドキシン、ＧＡＢＡを主成分にして栄養補助用のサプリメントとしたり、健康飲料にすることにより、場所を選ばず効果が得られる。
(57)【要約】【課題】不要の葉書などを挟んでペットの糞を掬い取ることを目的にしたスコップ及びシャベルを提供する。【解決手段】  スコップ又はシャベルの内側掬い部より挿入した紙が挟めるように内側に爪状のクリップ部を形成したことを特徴とする紙が挟めるスコップ及びシャベル。【選択図】図１
2010051305.tif 000002
【特許請求の範囲】
【請求項１】
スコップ又はシャベルの内側掬い部より挿入した紙が挟めるように両側淵部と底部に沿って爪状のクリップ部を形成ししたことを特徴とする紙が挟めるスコップ又はシャベル
【発明の詳細な説明】
【技術分野】
【０００１】    本発明は、スコップ又はシャベルの内側掬い部に紙を差し込んでペットの糞や虫などの死骸を収集することを目的にした紙を差し込んで挟めるスコップ又はシャベルに関するものである。
【背景技術】
【０００２】  スコップ又はシャベルの内側に紙が挟めるように成型したものはなかった。
【発明の開示】
【発明が解決しようとする課題】
【０００３】  そのために、次のような問題点があった。
（イ）ペットの糞などの収集時、シャベルの汚れを避ける為にビニールなどで被覆するなどしていた。又使用後は汚れるためその都度洗浄する必要があった。
本発明は、これらの問題点を解決するためになされたものである。
【課題を解決するための手段】
【０００４】  スコップ又はシャベルの内側掬い部より挿入した紙が挟めるようにシャベルの両側端部と本体底部に沿って爪状のクリップ部を形成し紙が溝に挟まれ固定されるようにする。以上を特徴とする紙が挟めるスコップ及びシャベル。
【発明の効果】
【０００５】  葉書のサイズに合せて成型することにより要らなくなった葉書の再利用ができる。又、溝は差し込み部分では開いているので他の厚紙や不要の雑誌の表紙など適宜切断して使用できるので不要の紙の再利用に役立つ。
紙は汚物と一緒に使い捨てることが出来るので手もスコップも清潔である。
【発明を実施するための最良の形態】
【０００６】  以下、本発明の実施の形態について説明する。
（イ）スコップ又はシャベル本体（１）の掬い部（２）に紙を滑らせて差込み固定できるように弾性を有する爪状のクリップ成型部品（４）を一定の隙間（５）を有して本体（１）の内側に沿って取り付ける。
（ロ）爪状のクリップ成型部品（４）は差し込む紙のサイズに適応できるように、挿入部分では溝・開口（５）を維持し、本体（１）の掬い部付け根部分で（７）のように接着固定する。
（ハ）クリップ成型部品（４）は図５のように指で紙を自由に操作できるような形状にすることにより融通性が生まれる。
本発明は以上のような構成で、ペットの糞や虫の死骸などの処理を不要になった葉書や厚紙などを使用して行うことができる。
【図面の簡単な説明】
【０００７】
【図１】  本発明の全体斜視図
【図２】  本発明の分解斜視図
【図３】  本発明の平面図
【図４】  本発明のａ断面部分拡大図
【図５】  本発明の使用時の姿図
【符号の説明】
【０００８】    １  スコップ・シャベル本体
２  掬い部
３  持ち手
４  クリップ成型部品
５  溝・開口
６  葉書・紙
７  接着部
【図１】
2010051305.tif 000003
【図２】
2010051305.tif 000004
【図３】
2010051305.tif 000005
【図４】
2010051305.tif 000006
【図５】
2010051305.tif 000007
(57)【要約】【課題】  毎日持っていく弁当だが、今の弁当用に持っていける市販の一般小型調味料容器はやはり調味料がなくなるのが早い。また、一般小型調味料容器は抽出口しかないので使い捨てとなっている。このため家庭で使用している一般家庭用調味料容器６から調味料を注入でき何回も使用できる小型調味料容器を提供する。【解決手段】小型調味料容器１の底に下開口部を設け調味料注入口４を設ける。この下開口部のサイズは市販の一般家庭用調味料容器６の抽出口と同じで、内側には市販の一般家庭用調味料容器６の蓋と同じ凹ねじ山が切ってある。あとは、この下開口部の蓋３を備える。【選択図】  図１
2010051336.tif 000002
【特許請求の範囲】
【請求項１】
２つの開口部を有し、各々の開口部の蓋が開閉できる小型調味料容器であり、小型調味料容器の一方の開口部の蓋を取り、一般家庭用調味料容器の抽出口と小型調味料容器の開口部を装着することで開口部から調味料を小型調味料容器に注入することができる小型調味料容器。
【請求項２】
前記小型調味料用容器は、市販の一般家庭用調味料容器から調味料を注入することが出来るように、一方の開口部は内側に一般家庭用調味料容器の蓋と同じ凹ねじ山を切り一般家庭用調味料容器に蓋をするように容易に装着できることを特徴とする請求項１記載の小型調味料容器。
【発明の詳細な説明】
【技術分野】
【０００１】
本発明は小型調味料容器に関し、１つの小型調味料容器に２つの開口部、すなわち調味料の注入口と抽出口があり、調味料の注入時も簡単に家庭の一般調味料から出来るように、家庭の一般調味料容器の抽出口と小型調味料容器の注入口を装着できる小型調味料容器に関する。
【背景技術】
【０００２】
市販の調味料容器は家庭でよく使用される一般家庭用調味料容器と少し小さめの一般中型調味料容器ともう少し小さい一般小型調味料容器があります。この中で弁当に持っていけるのは、一般中型調味料容器と一般小型調味料容器ですが一般中型調味料容器は大きさから少し厳しいところがあります。また、一般小型調味料容器はやはり小さいためすぐになくなってしまいます。そして、家庭に調味料があり空っぽの調味料容器を持っていても入れてもって行くことが出来ない。
【特許文献１】特開２００２−１７７１１８                  実開平０４−０６９０２２
【発明の開示】
【発明が解決しようとする課題】
【０００３】
従来の弁当に持っていく一般小型調味料容器は上記のように使用する際に容器が小さくて、調味料のなくなるのが早く、従来の一般小型調味料容器は抽出口しかないために使い捨てとなっている問題がある。
【０００４】
また、使いきった一般小型調味料容器が使い捨てとならないためには、家庭で使用している市販の一般家庭用調味料容器から簡単に誰でも注入できなければならないという問題がある。
【０００５】
そこで、本発明はこれらの課題を解決すべく考案されたものであり、その目的とするところは、一般家庭用調味料容器から簡単に小型調味料容器へと調味料を注入することができ、何度となく使用できる小型調味料容器を提供することにある。
【課題を解決するための手段】
【０００６】
本発明は上記目的を達成するために、次の機構を備える。
すなわち、小型調味料容器に下開口部を設けること。この下開口部すなわち、注入口４から家庭で使っている市販の一般家庭用調味料容器６から調味料を注入することが出来るという事を特徴とする。
【０００７】
前記の下開口部は市販の一般家庭用調味料容器６の抽出口と同じ大きさで、注入口４の内側に一般家庭用調味料容器６の蓋と同じサイズで、同じ凹ねじ山を切ってあり市販の一般家庭用調味料容器６へ蓋をするように簡単に装着でき調味料を注入することが出来ることを特徴とする。
【発明の効果】
【０００８】
本発明に係わる小型調味料容器は、上記記載した機構を備える事により、容器が空っぽになっても市販の一般家庭用調味料容器から調味料を入れることが出来、使い捨てでなくなる小型調味料容器を提供する。
【０００９】
上述したような機構で前記下開口部を市販の一般家庭用調味料容器の抽出口と同じ大きさで、下開口部の内側に一般家庭用調味料容器の蓋と同サイズの凹ねじ山を切ることで、調味料を注入するときは蓋をするように簡単に一般家庭用調味料容器に装着でき注入できる小型調味料容器を提供する。
【発明を実施するための最良の形態】
【００１０】
本発明の一実施形態を、図１に示す。
小型調味料容器本体１の底には小型調味料容器挿入口４として一般家庭用調味料容器６の抽出口が装着できるように、内側に一般家庭用調味料容器６の蓋と同じ凹ねじ山がきられている。
また、調味料がマヨネーズ、ケチャップなどだと押し出す必要があるので、小型調味料容器本体１は軟らかく、弾力性があり本体１を押さえて調味料を抽出口５から押し出す。
調味料が液体の時とかがあるので、移動中に小型調味料容器本体１に圧力がかかっても、もれないように小型調味料容器本体１は硬い物もある。
底の小型調味料容器挿入口の蓋３は、凸ねじ山が切られている。
【００１１】
小型調味料容器１への調味料注入方法は、一般家庭用調味料容器６の蓋を外し、挿入口の蓋３をはずした小型調味料容器本体１を一般家庭用調味料容器６に蓋をするのと同じように最後までねじ込む。これで図５の状態になります。これから一般家庭用調味料容器６から調味料を押し出し、小型調味料容器本体１へ注入出来る。
【００１２】
小型調味料容器のサイズは、挿入口の蓋３と本体１が同じサイズの小型調味料容器と、少し多めに持っていきたいときに挿入口の蓋３より大きい本体７の小型調味料容器がある。
【図面の簡単な説明】
【００１３】
【図１】この発明の一実施形態を示す斜視図である。
【図２】この発明の表面図と蓋を除いた断面図である。
【図３】抽出口の蓋２である。
【図４】注入口の蓋３である。
【図５】一般家庭用調味料容器６に装着したときの図である。
【図６】この発明の大型容器の例である。
【符号の説明】
【００１４】
１  小型調味料容器本体図
２  小型調味料抽出口の蓋図
３  小型調味料注入口の蓋図
４  小型調味料容器の注入口
５  小型調味料容器の抽出口
６  市販の一般家庭用調味料容器図
７  注入口蓋より大きい小型調味料容器本体図
【図１】
2010051336.tif 000003
【図２】
2010051336.tif 000004
【図３】
2010051336.tif 000005
【図４】
2010051336.tif 000006
【図５】
2010051336.tif 000007
【図６】
2010051336.tif 000008
(57)【要約】【課題】  多種類の電気製品の長期電源用差込プラグの挿入を容易にすると共に、重大な災害をもたらすトラッキング現象を防止、又持ち逃げの防止、及び給電コードの収納することが出来る埋め込みコンセントボックスを提供することを目的とする。【解決手段】  壁面に固定された埋め込み式コンセントボックス（１０）であって、該埋め込みコンセント（７）のコンセント部（９）に、差込プラグ（１３）の雄金具を受け入れる差込口（９）、（９）を下向き方向に配設した埋め込みコンセントボックス（１０）、又固定バンド（１２）を設け、給電コードの逃げ口（１１）を設けた事を基本構成している。【選択図】  図１
2010051085.tif 000002
【特許請求の範囲】
【請求項１】
化粧板（１）の中央より下部分に、差込プラグ差込口に（２）ゴムパッキンを設け、（３）ゴムパッキンに切り口を入れておく、又（７）コンセント受け器は垂直にコの字に折り曲げ、（１０）コンセントボックス内に設ける、及び（１１）給電コード逃げ口をボックスの下中央付近に設け、及び（１２）固定バンドをコンセントボックス内に配置した埋め込み式コンセントボックス。
【発明の詳細な説明】
【技術分野】
【０００１】
この発明は、差込プラグとコンセントがボックス内に収納された事により、塵埃、湿気の侵入防止が可能となり、又固定バンド装着により盗難防止、ボックス内に逃げ口を設けたことで給電コードが、壁内部に収納したことにより塵埃が給電コードに付かないことを特徴とするコンセントボックス。
【背景技術】
【０００２】
従来より、各種の電気製品の差込プラグをコンセントに接続する場合、露出しての接続であった。したがって、長期間接続の差込プラグとコンセントの上には、塵埃が付着して目立つ、あるいは、湿気の進入により感電又トラッキング現象の危険がある。
【０００３】
差込プラグとコンセントが露出している為に、不特定多数のお客様が出入りする、ホテル、日帰り入浴施設などの、ヘアードライヤーの持ち逃げ、盗難の問題がある。
【特許文献１】特開2002-28022号公報
【発明の開示】
【発明が解決しようとする課題】
【０００４】
これには次のような欠点があった。
イ、差込プラグとコンセントの間には、塵埃が堆積し見苦しかった。
ロ、湿気が進入して、トラッキング現象の発生、また感電の危険があった。
ハ、差込プラグとコンセントが露出している為に、ヘアードライヤーの盗難が問題であった。
ニ、各種の電気製品の供給コンセントが、長めで露出したままで見にくかった。
本発明は、以上の欠点を解決するためになされたものである。
【課題を解決するための手段】
【０００５】
本発明は、化粧板（１）の開口部にゴムパッキン（２）を設け、（３）差込プラグが挿入するように切れ目を入れておく。コンセント受け器（７）を従来の平面より、垂直にコの字に折り曲げておくことでコンセント口器（８）が、ボックス内に収納される。コンセントボックス（１０）の下面中央付近（１１）に穴を設け、各種の電気製品使用用途により給電コードを収納する、また（１２）固定バンドにより盗難の防止となる、事を基本構成としている。
【発明の効果】
【０００６】
以上の様に本発明は、通常の使用状態では外部から電源差込プラグとコンセントとの差込部分が全くボックス内に収納され見えずヘアードライヤーを持ち去る盗難を未然に防止すると共に、差込プラグとコンセントの着脱面が下向きな、事から塵埃、湿気の侵入が防げ、トラッキング現象の防止が出来る。
【０００７】
特に差込部分が壁の中に収納されたことにより、長期差込状態の各種電気製品は、絶縁低下を生じることはない。
【０００８】
また、コンセントボックスの下側に、給電コードの収納穴を設けたことにより、弛んでいたコードの収納が出来塵埃な堆積する事がない。
【０００９】
さらに、固定バンドにより、不特定多数の人々の出入りするホテル、日帰り入浴施設等で使う、ヘアードライヤーの持ち去り防止が未然に防げる。
【発明を実施するための最良の形態】
【００１０】
以下、本発明の実施形態について、図面を参照しながら説明する。図１に本実施形態にかかる埋め込みコンセントボックスの分解断面図を示す。
【実施例】
【００１１】
本発明の実施例について図１、図２、図３、図４、図５、図６を参照して説明する、壁に埋め込まれた、コンセントボックス。
【００１２】
化粧板の中心より下部分に、図１の２、丸い穴を開け、ゴムパッキンを通す、図１の３ゴムパッキンに切れ目を入れておく、差込プラグを通すゴムパッキン。
【００１３】
本発明の、重要ポイント図１の７、差込プラグ受け器を、従来の露出型より、室内型とした。
【００１４】
図１の１１、ボックス内に、給電コードの逃げる場所の確保ボックス。
【００１５】
図２の１２、ボックス内に、給電コードの固定バンドの装着。
【産業上の利用可能性】
【００１６】
換気扇などの、汚れのひどい所のコンセントに最適、湿気、油汚れなどが給電コードに付かなくて、掃除が楽になる。又洗面所などの換気扇のコードのたるみが、壁の中に収納され、スッキリの概観となる。
【００１７】
不特定多数の方々が、利用するホテル、日帰り入浴施設などのヘアードライヤーコンセントとして、持ち逃げ、盗難の予防になるコンセント。
【図面の簡単な説明】
【００１８】
【図１】本実施例を分解して示す取り付け断面図である。
【図２】本実施例に用いられる取付断面図である。
【図３】本実施例に用いられる化粧版とゴムパッキンを示す斜視図である。
【図４】本実施例に用いられるコンセント受け器を示す断面図である。
【図５】本実施例に用いられる差込プラグと固定バンドを示す斜視図である。
【図６】本実施例に用いられる固定バンドを示す斜視図である。
【図７】従来の差込プラグ例である。
【符号の説明】
【００１９】
１・・・化粧板                  
２・・・差込口ゴムパッキン
３・・・ゴムパッキン切り口      
４・・・4a4bねじ
５・・・化粧板受け器            
６・・・6a6bねじ
７・・・コンセント受け器        
８・・・コンセント口器
９・・・差込口                
１０・・・コンセントボックス
１１・・・給電コードに逃げ口    
１２・・・固定バンド
１３・・・差込プラグ
１４・・・外線入り口
１５・・・給電コード
【図１】
2010051085.tif 000003
【図２】
2010051085.tif 000004
【図３】
2010051085.tif 000005
【図４】
2010051085.tif 000006
【図５】
2010051085.tif 000007
【図６】
2010051085.tif 000008
【図７】
2010051085.tif 000009
(57)【要約】【課題】  電子顕微鏡の超微小焦点より発生するＸ線を用いて、Ｘ線拡大撮影を行うこと。【解決手段】  電子顕微鏡で用いられる電子線の超微小焦点の位置に、台形の金属ターゲットを設置し、加速された電子をターゲットにあてることにより、発生する制動Ｘ線を、電子顕微鏡の加速筒（鏡筒）と直角方向に置かれたアダプター内に導き、ターゲットの近傍に設置された試料に当てる。透過したＸ線は、ターゲットから遠くに置かれたＸ線検出器によって拡大画像を得る。照射する電子線の焦点のターゲット上の位置を変えることにより、観察する試料部位と拡大率を決める。【選択図】図１
2010051769.tif 000002
【特許請求の範囲】
【請求項１】
電子顕微鏡の電子ビームを金属ターゲット上の小焦点に絞り、発生した微小焦点からのＸ線を電子顕微鏡の加速筒（鏡筒）と直角方向に取り出すこと。
【請求項２】
円筒内部に，金属ターゲット，観察試料，ｘ線検出装置の順に一直線上に設置した円筒型のアダプター。
【請求項３】
電子顕微鏡の加速筒の資料挿入孔に、電子顕微鏡の加速筒（鏡筒）と直角方向に、円筒型のアダプター入れることによって、微小焦点ｘ線を利用したｘ線による拡大撮影装置。
【発明の詳細な説明】
【技術分野】
【０００１】  本発明は、電子顕微鏡による電子線の超微小焦点を利用したＸ線拡大撮影に関する。
【背景技術】
【０００２】  微小構造物を拡大して観察する方法として、可視光（光学顕微鏡）や電子ビーム（電子顕微鏡）を使う方法があり、Ｘ線を使用する方法は、微小焦点を用いた乳房拡大撮影や、電子部品の拡大撮影等に用いられている。【０００３】  電子顕微鏡は高電圧を用いて電子を加速し、レンズの働きをする磁石を用いて電子線の行路を曲げることによって非常に細いビームに絞り、その透過度の違いから試料の微細構造の情報を取り出す（透過型電子顕微鏡、ｔｒａｎｓｍｉｓｓｉｏｎ  ｅｌｅｃｔｒｏｎ  ｍｉｃｒｏｓｃｏｐｙ，ＴＥＭ）方法や、絞られた電子ビームを対象に照射し、放出される二次電子を利用して微細構造の情報を取り出す（走査型電子顕微鏡、Ｓｃａｎｎｉｎｇ  Ｅｌｅｃｔｒｏｎ  Ｍｉｃｒｏｓｃｏｐｅ、ＳＥＭ）方法などがある。
【特許文献１】特開２００７−０５４５２８号  公報
【特許文献２】特開２００１−３１１７０１号  公報
【特許文献３】特開２００１−１９４７３８号  公報
【発明の開示】
【発明が解決しようとする課題】
【０００４】  小焦点を用いたＸ線拡大撮影を行う場合、電子線を超微小焦点に絞る目的ためだけの装置を構築した場合、装置が大がかりなものになってしまう。【０００５】  拡大像を得るため，検出器や写真フィルムを微小焦点から離れた空気中に置くと、エネルギーの低いＸ線は，Ｘ線取り出し窓や空気により吸収散乱されてしまうために、コントラストの良好な拡大像を得ることが困難になる。
【課題を解決するための手段】
【０００６】  微小焦点、試料、検出器（Ｃｈａｒｇｅ  Ｃｏｕｐｌｅｄ  Ｄｅｖｉｃｅ，ＣＣＤやフィルムなど）を一直線上に設置した図１に示すような一体型の肉厚円筒アダプターを作製し，それを電子顕微鏡の加速筒（鏡筒）に直角方向に挿入する。【０００７】  図２に示すように、電子顕微鏡の超微小焦点をアダプターの金属ターゲット上にセットする。その装置を図３と図４に示す。ターゲットはタングステンやモリブデンなどの金属で作られた、小さな台形状の金属片である。【０００８】  一直線上に置かれた微小焦点，資料，検出器の間の距離を変えることにより，拡大率を変えることができる。【０００９】  アダプターの内部は，電子顕微鏡の加速部分と連絡しているので，アダプター内部の真空度は電子顕微鏡のそれと同じである。このために、資料を透過したＸ線は，検出器に到達するまでに，Ｘ線取り出し窓や，空気層等を通過することがないので，散乱吸収を受けることなく、低いエネルギーのＸ線も利用することが可能となる。【００１０】  低いエネルギーのＸ線を利用することが可能となるので，薄い標本に対しても、オスミウム蒸着などの方法を使って、資料を重金属などで染めることなしに、Ｘ線の吸収に差が出て、コントラストの強い拡大像を得ることができる。【００１１】  電子線を照射してＸ線を発生するためのターゲットは，図３と図４に示されるような金属で作られた小さな台形状の金属片で，電子線の入射方向に対して台形の斜面が向くように設置される。【００１２】  拡大観察する部位を移動することが必要となるが、その装置を図３と図４に示す。電子線の焦点をｘ方向に移動することにより、試料の観察部位を横方向にずらすことが可能になる。【００１３】  電子線の焦点を図４のｙ方向に移動することにより、焦点と試料の間の距離を変えることによって、拡大率を変化させることができる。【００１４】  しかしながら、ｙ方向の焦点の移動により、観察部位が変わってしまうので、そのために試料を上下方向に移動する必要があるが、これはプーリーを利用して、アダプターの外から用手的にねじなどを使って行う。【００１５】  図３にあるように、焦点と試料の間の距離をＬ１、焦点と検出器の間の距離をＬ２とおくと、拡大率はＬ２／Ｌ１なる。焦点の直径をＬｆとおくと、焦点が有限であることによる検出器上での像のぼけはＬｆ（Ｌ２−Ｌ１）／Ｌ１≒ＬｆＬ２／Ｌ１であり，分解能はＬｆとなる。
【産業上の利用可能性】
【００１６】  電子顕微鏡は，加速された電子を利用して拡大像を得る。簡単な構造のアダプターを用いて，Ｘ線により微小構造の拡大撮影を行うことにより，金属染色することなく観察を行うことが可能となり，医療、研究開発分野を含んだ広い産業上の応用が可能と考えられる。【００１７】  低エネルギーのＸ線も利用可能になり、コントラストの強い画像を得ることができる。
【図面の簡単な説明】
【図１】本発明の実施形態としてのシステム構成図である。
【図２】１直線上に設置された、金属ターゲット、試料、検出器の模式図である。
【図３】観察部位を移動するための装置の模式図である。
【図４】観察部位の移動と、拡大率を変えるための装置の原理図および模式図である。
【符号の説明】
１    金属ターゲット、試料、検出器を内部に納める円筒形アダプター
２    台形型金属ターゲット
３    検出器（半導体検出器、またはフィルム）
４    電子線ビーム
５    電子顕微鏡加速筒（鏡筒）
６    電子レンズ
７    試料
８    超微小焦点Ｘ線
９    試料を移動するためのプーリー
１０  ワイヤー
【図１】
2010051769.tif 000003
【図２】
2010051769.tif 000004
【図３】
2010051769.tif 000005
【図４】
2010051769.tif 000006
(57)【要約】【課題】  炊いたお米が炊飯器の中で時間と共に凝縮し、ほぐしにくくなる事を防ぐお米の固まり防止器具を提供する。【解決手段】  本体外周枠及び内周枠それらを接続する数本の骨子枠からなり又、中心部に複数本の骨子枠が取手軸に結合され取手軸の上部にはつまみ部分が形成され、また外周枠及び内周枠とそれらを接続する骨子枠に複数本の隙間形成材が取り付けてあり各隙間形成材には、通気溝と複数の通気孔を設けた事を特徴とする炊いたお米の固まり防止器具。本器具の製作に当たっては、人体に良い効果が得られると思われる物質成分等があれば器具の成形時に合成し含有させる。【選択図】図６
2010051768.tif 000002
【特許請求の範囲】
【請求項１】
本体部外周枠及び内周枠それらを接続する３本の骨子枠からなりまた、中心部に３本の骨子枠が取手軸に結合され取手軸の上部にはつまみ部分が形成され、又外周枠及び内周枠とそれらを接続する骨子枠に複数本の隙間形成材が取り付けてあり各隙間形成材には通気溝と複数の通気孔を設けたことを特徴とする炊いたお米の固まり防止器具。
【請求項２】
請求項１の器具の製作に当たっては、人体に良い効果が得られると思われる物質及び成分等があればこの器具の成形時に合成し含有させる。
【発明の詳細な説明】
【技術分野】
【０００１】  本発明は電気、ガス炊飯器又は保温ポット等に使用することにより炊いたお米を長時間固まらずに置いておく器具である。
【背景技術】
【０００２】  従来電気、ガス炊飯器又は保温用ポット等の炊き上がったごはんをしゃもじ等でほぐすというやりかたであった。
【発明の開示】
【発明が解決しようとする課題】
【０００３】  そのために次の様な問題点があった。
（イ）炊飯時等により炊いたお米は食事終了後次回の食事時まではそのままの状態で置かれていたため、食事の際お米をお茶碗に盛り付ける際に大きなかたまりとなりしゃもじに大きな抵抗があった。
（ロ）長時間置けばおくほどかたまりは強力になりごはんのおいしさが失われる。
（ハ）適当な水分もなくなり固く食べづらくなる。
本発明はこれらの問題点を解決するためになされたものである。
【課題を解決するための手段】
【０００４】  本体部外周枠及び内周枠とそれらを接合する数本の骨子枠から成り又中心部に３本の骨子枠が取手軸部に結合され取手軸部の上部にはつまみ部分が形成されている。外周枠及び内周枠とそれらを接続する骨子枠には各々複数本の隙間形成材が設けてある。隙間形成材は楕円形の棒状で先端に向かって次第に細く薄く勾配を付けてありまたこの棒状の両側面は縦長の通気溝になり途中に複数の通気孔が設けてある。
隙間形成材の長さは各炊飯器の炊飯器に合わせて形成されるものである。
【発明の効果】
【０００５】  炊飯時に炊飯器の中の空気及び水分、熱気の対流を促進する事によりお米の炊きあがりを良くし、保温時には適度の水分を除去すると共にお米の凝縮を防止し、又少し回転させるだけで簡単に全体的ほぐしが出来る。
【発明を実施するための最良の形態】
【０００６】（イ）本体外周枠（４）及び内周枠（５）が数本の骨子枠（３）で接合され、中心部の取手軸（２）は３本の骨子枠（３）に接合される。
（ロ）取手軸（２）の上部に取手つまみ（１）を付ける。
（ハ）外周枠（４）及び内周枠（５）とそれらを接合する骨子枠（３）には複数本の隙間形成材（６）が設けてある。
（ニ）一番外側の形成材は炊飯器の底辺Ｒ部への接触を考慮して少し短めでも良い。
（ホ）隙間形成材はすべて楕円形で棒状になっており先端に向かって次第に細く薄く勾配を付けてある。
（ヘ）又隙間形成材の棒状のの両側面は縦長の通気溝（７）になっており、各々途中に複数の通気孔（８）が設けてある。
（ト）この隙間形成材の存在は本器具の最大の要となっている。
本発明は以上のような構成でこれを使用する時は炊飯時にお米の中に隙間形成材（６）部を挿入してセットするだけでよい。
隙間形成材（６）のすべてに設けられた通気溝（７）と通気孔（８）によって炊飯時に水分と熱気の対流が促進し炊き上がりが良くなる。又隙間形成材（６）は先端に向けて次第に細く薄く勾配を付けた形状になっているため、挿入しやすく抜きやすいという利点がある。
炊いたご飯を撹拌してほぐす時は取手つまみ（１）を持ち左右に回すだけで良い。その際、隙間形成材（６）の楕円形で棒状の薄い方の面が回転方向に当たるので（［図５］隙間形成材詳細図（２）を参照）抵抗が少なく楽に効果的なほぐしが可能となり、お米の凝縮を防ぐ事が出来る。
【図面の簡単な説明】
【０００７】
【図１】  本発明の斜視図
【図２】  本発明の底面図
【図３】  本発明の側面図
【図４】  本発明の平面図
【図５】  本発明の一部の詳細図
【図６】  本発明の使用例
【符号の説明】
【０００８】１  取手つまみ
２  取手軸
３  骨子枠
４  外周枠
５  内周枠
６  隙間形成材
【図１】
2010051768.tif 000003
【図２】
2010051768.tif 000004
【図３】
2010051768.tif 000005
【図４】
2010051768.tif 000006
【図５】
2010051768.tif 000007
【図６】
2010051768.tif 000008
(57)【要約】【課題】平坦地だけでなく左足上がりやつま先下がりなどと、様々な傾斜地でのゴルフ練習が出来るようにした傾斜地スイング練習台を提供する。【解決手段】ツメ（８）を設けた円形の練習台（１）にネジ山（４）の付いた回転軸盤（２）を取り付け、ツメの通るネジ溝（５）やローラー（６）が通る溝（７）とネジ山受け（１２）を設けた回転軸盤受け（３）に回転軸盤（２）を取付けた傾斜地スイング練習台を特徴とする。【選択図】図１
2010051762.tif 000002
【特許請求の範囲】
【請求項１】
ツメ（８）を設けた円形の練習台（１）にネジ山（４）を設けた回転軸盤（２）を取り付け、ツメを通すネジ溝（５）と回転軸盤を受けるネジ山受け（１２）を設けた回転軸盤受け（３）に回転軸盤を取付ける。
以上の構成よりなる傾斜地スイング練習台。
【発明の詳細な説明】
【技術分野】
【０００１】この発明は、ゴルフのスイングをする円形の練習台の下に回転盤を設け、回転盤を回すと円形の練習台の一方が回転しながら斜めに持ち上がる、傾斜地スイング練習台に関するものである。
【背景技術】
【０００２】従来、ゴルフ練習場は地面に直接立って練習できる打席は少なく、マットを敷いた平坦な打席になっていて傾斜の練習が出来なかった。
【発明の開示】
【発明が解決しようとする課題】
【０００３】これは次のような欠点があった。
従来、ゴルフ場を除いて傾斜地でボールを打てるゴルフ練習場や施設が少ない。
また室内や庭先などで、様々な傾斜でのスイングの練習が出来る専門の器具がすくない。
本発明は、以上のような欠点をなくすためになされたものである。
【課題を解決するための手段】
【０００４】ツメ（８）を設けた円形の練習台（１）にネジ山（４）の付いた回転軸盤（２）を取り付け、ツメの通るネジ溝（５）やローラー（６）が通る溝（７）とネジ山受け（１２）を設けた回転軸盤受け（３）に回転軸盤（２）を取付ける。
本発明は、以上の構成よりなるゴルフ傾斜地練習台である。
【発明の効果】
【０００５】円形の練習台は回転軸盤とピンで留まって一体となっているので、回転軸盤を回すと円形の練習台も水平の状態からツメの付いた片側だけがネジ溝に沿って傾斜をつけながら回転上昇するので左足下がりやつま先上がりなど上昇過程で様々な傾斜ができるので、傾斜を選んで練習することができる。また傾斜地スイング練習台をゴルフ練習場に設置すれば利用者もレッスンプロから傾斜地でのボールの打ち方のレッスンも受けることができ、レッスンプロはレッスン幅も広がり生徒数を稼ぐことができるのでゴルフ練習場も活気が出て経営者も利益を得ることが出来る。
【発明を実施するための最良の形態】
【０００６】以下、本発明を実施ための最良の形態について説明する。
ツメ（８）とローラー（６）を設けた円形の練習台（１）にネジ山（４）の付いた回転軸盤（２）をピン（９）で取り付け、ツメ（８）の通るネジ溝（５）やローラー（６）が通る溝（７）とネジ山受け（１２）を設けた回転軸盤受け（３）に円形の練習台の乗った回転軸盤（２）を取付ける。
本発明は、以上のような構造でこれを使用するときは、ゴルフ練習場などに設置して円形の練習台で直接ボールを打って使用するときは、傾斜地スイング練習台のサイズは様々なクラブでも使用できるように円形の練習台は大きくして回転軸盤も動力で回るようにし、スイングの練習として室内や庭先などで使用するものはサイズも小さくてすむので、円形の練習台の回転も手動にして、円形の練習台を回転させればツメがネジ溝に沿って回転しながら徐々に上昇して傾斜角度が大きくなるので、傾斜角度をきめたら円形の練習台と回転軸盤受けの間にクサビなどを入れて円形の練習台を固定して使用すればよい。
【図面の簡単な説明】
【０００７】
【図１】本発明の上面図である。
【図２】本発明の断面図である。
【図３】本発明の断面図である。
【符号の説明】
【０００８】１  練習台  ２  回転軸盤  ３  回転軸盤受け  ４  ネジ  ５  ネジ溝  ６  ローラー  ７  溝  ８  ツメ  ９  ピン  １０  マット  １１  人工芝  １２  ネジ山受け
【図１】
2010051762.tif 000003
【図２】
2010051762.tif 000004
【図３】
2010051762.tif 000005
(57)【要約】【課題】靴の中に、外からの外気を入れ、靴の中を快適な涼しさにするように、数個〜十数個の通風孔のある靴を提供する。【解決手段】靴の靴底部分に、外側の横より左右に通風孔を数個〜十数個貫き通し、この上部へ縦穴の通風孔を数個〜十数個通し靴の中に通風孔なるもので、外気を入れるようにしたのが特徴である。【選択図】図５
2010051763.tif 000002
【特許請求の範囲】
【請求項１】
（イ）靴の、靴底部分になる箇所に外側の横より通風孔なる穴を横に、左右に数個〜十数個の穴を貫き通す。
（ロ）この横穴上部に、数個〜十数個の縦穴の通風孔なる穴を縦に通す。
以上の構成からなる通風孔つき靴。
【発明の詳細な説明】
【技術分野】
【００１】本発明は、靴の靴底部分に多数の通風孔なる穴を、横と縦に通した靴に関するものである。
【背景技術】
【００２】従来の靴は、靴底に多数の通風孔が、横と縦に通していない。
【発明の開示】
【発明が解決しようとする課題】
【００３】そのために、次のような問題点があった。
（イ）靴の中は、湿度が高い状況にあった。
（ロ）従来の靴は、靴の中の湿度が高いために、夏の季節には不快感があり、また足の部分にできる水虫等の病気に悩まされる難点があった。
（ハ）従来の靴は、病人あるいは看護師の方々の室内での靴また室内でのスポーツ靴等には不快感があった。
本発明は、以上の問題点を解決するためのものである。
【問題を解決するための手段】
【００４】靴の靴底部分に、外側の横より左右に通風孔を数個〜十数個貫き通しこの上部へ縦穴の通風孔を数個〜十数個通し靴の中に外気を入れる。この通風孔のある靴底の上部分には、編み目の中底を敷く。
【発明の効果】
【００５】靴の内部には、靴底にある通風孔をとおして、更に編み目の中底を通して風が入るので快適である。
【発明を実施するための最良の形態】
【００６】以下、本発明の実施の形態について説明する。
（イ）靴底（５）に、横穴（４）の通風孔（８）を左右に貫通する。この横穴（４）に、縦穴（３）の通風孔（８）を通す。
（ロ）通風孔（８）のある靴底（５）の上部に、編み目（２）のある中底（１）を乗せ、甲革（６）裏革（７）と共に靴底（５）に接合する。
本発明は以上のような構成で、この靴を使用する。
また図５に示すように靴底（５）に丸型の通風孔（１０）と図６に示すように角型の通風孔（１１）を通すことができる。
【図面の簡単な説明】
【００７】
【図１】本発明の通風できる編み目のある中底  平面図
【図２】本発明の横穴と縦穴の通風孔のある靴底  斜視図
【図３】本発明の断面図
【図４】本発明の通風孔よりの風の流れを現した断面図
【図５】本発明の靴底に丸型の通風孔を現した斜視図
【図６】本発明の靴底に角型の通風孔を現した斜視図
【図７】本発明の流れを現した図
【符号の説明】
【００８】  １  中底
２  編み目
３  縦穴
４  横穴
５  靴底
６  甲革
７  裏革
８  通風孔
９  通風孔よりの風の流れ
１０  丸型                    １１  角型
【図１】
2010051763.tif 000003
【図２】
2010051763.tif 000004
【図３】
2010051763.tif 000005
【図４】
2010051763.tif 000006
【図５】
2010051763.tif 000007
【図６】
2010051763.tif 000008
【図７】
2010051763.tif 000009
(57)【要約】【課題】  従来の保温調理器は別の場所で過熱した鍋などを入れる構造であったので、加熱してる時は熱エネルギーが逃げていた。また、ガスで加熱する場合は多量の換気が必要であった。【解決手段】  保温調理器Ａに鍋Ｂを入れたまま加熱できるようにすることで、熱エネルギーの大半を鍋Ｂと調理材料への加熱に使えるようにした。  保温調理器Ａを閉じたまま過熱する事で、換気の必要性を減らした。  保温調理器Ａに内部を高圧力に保てる機密性を持たせ、かつ圧力調整弁Ｃを付ける事で、圧力鍋と同様な効果を得られるようにし、調理時間の短縮効果を持たせた。【選択図】図１
2010051773.tif 000002
【特許請求の範囲】
【請求項１】
外部と断熱し保温もできる保温調理器と、前記保温調理器内部の鍋と、鍋と調理材料を加熱できる加熱装置からなるのを特徴とする断熱保温調理器。
【請求項２】
調理に適度な気密性を持つ保温調理器を特徴とする請求項１記載の断熱保温調理器。
【請求項３】
保温調理器に高圧力に耐える気密性と圧力調整弁とを備えることを特徴とする請求項１記載の断熱保温調理器。
【請求項４】
断熱材あるいは内部を真空にする事で断熱してる保温調理器と、前記保温調理器内部の金属鍋と、鍋と調理材料を加熱できる誘導加熱コイルあるいは電熱器あるいは誘電加熱器からなるのを特徴とする断熱保温調理器。
【請求項５】
保温調理器に高圧力に耐える気密性と圧力調整弁とを備えることを特徴とする請求項４記載の断熱保温調理器。
【請求項６】
調理に適度な気密性を持つ保温調理器を特徴とする請求項４記載の断熱保温調理器。
【発明の詳細な説明】
【技術分野】
【０００１】本発明は熱を逃がさずに加熱のできる断熱保温機能付き調理器である。
【背景技術】
【０００２】従来の保温調理器には、断熱保温したまま（熱を逃がさないで）加熱出来る物がない。
【発明の開示】
【発明が解決しようとする課題】
【０００３】従来の保温調理器は別の場所で加熱した鍋などを入れる構造であったので、加熱してる時は熱エネルギーが調理材料や鍋以外の空気などに多量に拡散していた。よって、加熱時の熱エネルギーの大半を調理材料と鍋に集中させる事で省エネルギーを実現したかった。【０００４】また、ガスで加熱する場合は多量の換気が必要であった。【０００５】また、より省エネルギーにするために圧力鍋の原理を取り入れたかった。
【課題を解決するための手段】
【０００６】保温器に鍋を入れたまま過熱できるようにする。【０００７】保温器を閉じたまま過熱する事で、換気の必要性を減らした。【０００８】保温器に内部を高圧力に保てる機密性を持たせ、かつ圧力調整弁を付ける。
【発明の効果】
【０００９】加熱に必要なエネルギーが少なくてすむ。換気の量を減らした。さらに高圧力をかけた場合に圧力鍋と同等の効果がある。
【発明を実施するための最良の形態】
【００１０】  鍋Ｂに材料を入れ、保温調理器Ａを適切に閉じる。圧力調整弁Ｃを適切な値に調整し、適切な時間の加熱をする。加熱終了後に適切な時間保温したままにする。圧力調整弁Ｃが安全な値であるのを確認後、保温調理器Ａを開けて、調理終了。
【図面の簡単な説明】
【００１１】
【図１】開けた状態と閉じた状態を示した図である。ななめ上から見た図である。
【符号の説明】
【００１２】Ａ  保温調理器
Ｂ  鍋
Ｃ  圧力調整弁
Ｄ  電源コード
Ｅ  加熱装置
【図１】
2010051773.tif 000003